(57)【要約】【課題】前後に対向するパネル体間に収容される物品の位置合わせを容易に行うことができるパネル装置を提供する。【解決手段】天井Ｃ側に設けられ左右に延びる上部パネル支持体２に取付けられ前後に対向するパネル体４，４間に物品９９を収容可能なパネル装置１であって、少なくとも前面に取付けられるパネル体４は、透光性を有し、上部パネル支持体２は、左右に延びるレール２６と、前後に対向するパネル体４，４間において該レール２６に沿って左右に走行可能な走行体１６，１６を備え、走行体１６，１６は、物品９９を吊支可能な物品吊支部１５，１５を備える。【選択図】図１
2018071324.tif 000002
【特許請求の範囲】
【請求項１】
天井側に設けられ左右に延びる上部パネル支持体に取付けられ前後に対向するパネル体間に物品を収容可能なパネル装置であって、
少なくとも前面に取付けられる前記パネル体は、透光性を有し、
前記上部パネル支持体は、左右に延びるレールと、前後に対向する前記パネル体間において該レールに沿って左右に走行可能な走行体を備え、
前記走行体は、物品を吊支可能な物品吊支部を備えることを特徴とするパネル装置。
【請求項２】
前後に対向する前記パネル体間の側端部には、開口部が設けられることを特徴とする請求項１に記載のパネル装置。
【請求項３】
前記レールは、前記開口部から左右方向外側に延長されていることを特徴とする請求項１または２に記載のパネル装置。
【請求項４】
前記物品吊支部には、前後に対向する前記パネル体間に配置可能な板状部材が吊支されることを特徴とする請求項１ないし３のいずれかに記載のパネル装置。
【請求項５】
後面に取付けられる前記パネル体と前記板状部材は透光性を有しているとともに、該板状部材には前記物品が取付けられていることを特徴とする請求項４に記載のパネル装置。
【請求項６】
前記パネル体は、左右に複数連設されており、
前記走行体を外部から前記レールに沿って左右に移動させる移動手段を備えることを特徴とする請求項１ないし５のいずれかに記載のパネル装置。
【発明の詳細な説明】
【技術分野】
【０００１】
本発明は、対向するパネル体間に物品を収容可能なパネル装置に関する。
【背景技術】
【０００２】
装飾品や展示品、あるいは投影用のスクリーン等の物品を、前後方向に離間して設けられ対向するパネル体間に収容できるようにしたパネル装置がある。
【０００３】
例えば、特許文献１に開示されているパーティション（パネル装置）は、床面に立設する脚部と、該脚部に対して前後方向に離間させた状態でピンにより固定される２枚のガラス板（パネル体）と、２枚のガラス板間に形成される空間の上端よりもやや下方で左右のピンに架設される棒状のフレームと、該フレームに取付けられるフック形状の吊具と、から主に構成され、フレームに取付けられた吊具を介して物品を吊支することにより、２枚のガラス板間に形成される空間に物品を収容できるようになっている。
【先行技術文献】
【特許文献】
【０００４】
【特許文献１】特開２００６−２３９８号公報（第３頁、第２図）
【発明の概要】
【発明が解決しようとする課題】
【０００５】
しかしながら、特許文献１にあっては、２枚のガラス板間に架設されるフレームに取付けられる吊具に対して物品が吊支されており、ガラス板間において物品の位置合わせを行うためには、物品が吊支された状態でフレームに対する吊具の取付け位置の変更を行わなければならず、吊具に吊支された物品が不規則に揺動して前後のガラス板に接触する虞があり、ガラス板間における物品の位置合わせが難しいという問題があった。さらに、ガラス板が左右方向または上下方向に大きくなる程、この問題は顕著であった。
【０００６】
本発明は、このような問題点に着目してなされたもので、前後に対向するパネル体間に収容される物品の位置合わせを容易に行うことができるパネル装置を提供することを目的とする。
【課題を解決するための手段】
【０００７】
前記課題を解決するために、本発明のパネル装置は、
天井側に設けられ左右に延びる上部パネル支持体に取付けられ前後に対向するパネル体間に物品を収容可能なパネル装置であって、
少なくとも前面に取付けられる前記パネル体は、透光性を有し、
前記上部パネル支持体は、左右に延びるレールと、前後に対向する前記パネル体間において該レールに沿って左右に走行可能な走行体を備え、
前記走行体は、物品を吊支可能な物品吊支部を備えることを特徴としている。
この特徴によれば、走行体をレールに沿って走行させることにより、物品吊支部に吊支された物品を左右に移動させることができるため、床または台座から天井側に亘って取付けられ前後に対向するパネル体間に収容される物品の位置合わせを容易に行うことができる。
【０００８】
前後に対向する前記パネル体間の側端部には、開口部が設けられることを特徴としている。
この特徴によれば、物品を開口部から出し入れすることができるため、前後に対向するパネル体間への物品の収容が容易である。
【０００９】
前記レールは、前記開口部から左右方向外側に延長されていることを特徴としている。
この特徴によれば、前後に対向するパネル体間に収容される物品を走行体の物品吊支部に吊支された状態でレールに沿って開口部から外側に移動させることができるため、物品の出し入れを行いやすい。
【００１０】
前記物品吊支部には、前後に対向する前記パネル体間に配置可能な板状部材が吊支されることを特徴としている。
この特徴によれば、スクリーン等の板状部材を物品として吊支すると安定する。また、物品吊支部に吊支される板状部材の面部に物品を取付けることにより、前後に対向するパネル体間に物品を安定した状態で収容することができる。
【００１１】
後面に取付けられる前記パネル体と前記板状部材は透光性を有しているとともに、該板状部材には前記物品が取付けられていることを特徴としている。
この特徴によれば、透光性を有する板状部材の面部に物品を取付けることにより、透光性を有する各パネル体と板状部材が重畳して物品の吊支構造が見え難くなるため、前後に対向するパネル体間に収容される物品が空間上に配置されているような演出効果を得ることができる。
【００１２】
前記パネル体は、左右に複数連設されており、
前記走行体を外部から前記レールに沿って左右に移動させる移動手段を備えることを特徴としている。
この特徴によれば、左右に複数連設され前後に対向するパネル体間において、走行体を移動手段により外部からレールに沿って左右に移動させることができるため、物品の位置合わせを容易に行うことができる。また、パネル装置が間口部を有する態様の場合には、間口部から手等が届きにくい位置に収容される物品であってもその位置合わせを容易に行うことができる。
【００１３】
パネル装置は、
天井側に設けられ左右に延びる上部パネル支持体に取付けられ前後に対向するパネル体間に物品を収容可能なパネル装置であって、
少なくとも一方の前記パネル体は、矩形の板材と、前記板材の上端部に取着された上部縁材と、を備え、前記上部縁材には、上方に延び、前記上部パネル支持体に上下方向に形成され、少なくとも下向きに開放された開口部に下方から挿入される立上がり片が設けられており、
床面に設けられ左右に延びる下部パネル支持体に設けられ前記パネル体の下端部を載置可能な下部載置部から、前記上部パネル支持体に設けられた開口部の開口下端部までの上下寸法よりもパネル体の上下寸法が大きいことを特徴としている。
これによれば、パネル体の立上がり片を開口部に対して斜め下から挿入し、立上がり片を開口部に挿入したまま当該箇所を中心としてパネル体を回動させ、パネル体の下端部を略水平に移動させて下部載置部に載置させることにより、立上がり片が開口部内に挿入された状態を保ちながらパネル体を立て掛けることができるため、パネル体の着脱施工を容易に行うことができ、間仕切パネル装置の内面部のメンテナンス等を行いやすい。
【図面の簡単な説明】
【００１４】
【図１】実施例１におけるパネル装置を示す斜視図である。
【図２】実施例１におけるパネル装置の吊支パネルを開口部から引き出した状態を示す斜視図である。
【図３】図１のＡ−Ａ線において、パネル装置の両面にガラスパネルが取付けられ、ガラスパネルの対向面間に吊支パネルが吊支された状態を示す側面視の断面図である。
【図４】図１のＡ−Ａ線において、パネル装置の上部パネル支持体を示す側面視の拡大断面図である。
【図５】図１のＡ−Ａ線において、パネル装置の下部パネル支持体を示す側面視の拡大断面図である。
【図６】吊支装置による吊支パネルの吊支構造を示す部分断面図である。
【図７】パネル装置の展示部の構造を示す上面視の断面図である。
【図８】図２のＢ−Ｂ線において、パネル装置に吊支パネルが吊支された状態を示す側面視の断面図である。
【図９】図２のＢ−Ｂ線において、パネル装置の上部パネル支持体を示す側面視の拡大断面図である。
【図１０】図２のＢ−Ｂ線において、パネル装置のパネルガイドを示す側面視の拡大断面図である。
【図１１】（ａ）ないし（ｄ）は、実施例におけるパネル装置のガラスパネルの取付け手順を示す側面視の断面図である。
【図１２】実施例２におけるパネル装置を示す斜視図である。
【発明を実施するための形態】
【００１５】
本発明に係るパネル装置を実施するための形態を実施例に基づいて以下に説明する。
【実施例１】
【００１６】
実施例１に係るパネル装置につき、図１から図１１を参照して説明する。以下、図３の紙面左側をパネル装置の正面側（前方側）とし、図３の紙面右側をパネル装置の背面側（後方側）として説明する。
【００１７】
パネル装置１は、例えば、美術館や博物館等の展示スペースにおいて絵画、版画、陶器皿、メダル等の展示物９９（物品）を展示するために、床または台座から天井に亘って複数のパネルを取付けてなるものであり、パネルとして透明のガラスパネル４（パネル体）が使用されることにより、内部に収容される展示物９９を外部から鑑賞できるようになっている。
【００１８】
図１及び図３に示されるように、実施例１におけるパネル装置１は、天井Ｃに固定され左右に延びる上部パネル支持体２と、床面Ｆに固定され左右に延びる下部パネル支持体３と、の間に一対のガラスパネル４，４が前後に離間させて取付けられた二重ガラスパネル構造になっている。また、後段にて詳述するが、パネル装置１は、吊支パネル１１（板状部材）に取付けられた展示物９９を収容するための展示部９（図１参照）を側壁Ｗから展示スペース側に突出させた状態で設置される。
【００１９】
次いで、ガラスパネル４，４，…の構造について詳しく説明する。尚、上部パネル支持体２と下部パネル支持体３との間に前後に離間させて取付けられるガラスパネル４，４は、同一構成であるため、パネル装置１の前方側に取付けられるガラスパネル４について説明し、後方側に取付けられるガラスパネル４についての説明を省略する。
【００２０】
図３に示されるように、各ガラスパネル４は、２枚の透明な板ガラス４ａ，４ａを重合して強化した合わせガラスであるパネル本体４ｂと、該パネル本体４ｂの上端面４ｃ及び下端面４ｅに両面接着テープあるいはホットメルト接着剤５によりそれぞれ固定された上部縁材６及び下部縁材７と、から構成されている。尚、現場での取付けや施工時間を短縮するために、予め工場等においてパネル本体４ｂに上部縁材６及び下部縁材７を取付け、ガラスパネル４をユニット化しておくとよい。尚、板ガラス４ａ，４ａとしては、展示部９内に収容される展示物９９の視認性を高めるために高透過性のガラスが使用されている。
【００２１】
次いで、上部縁材６について詳しく説明する。尚、前方側に取付けられるガラスパネル４の上部縁材６について説明する。図４に示されるように、ガラスパネル４を構成する上部縁材６は、側面視クランク形状をなし、パネル本体４ｂの上端面４ｃに両面接着テープあるいはホットメルト接着剤５により固定される水平板６０と、水平板６０の後端から上方に向けて延びる挿入板６１と、水平板６０の前端からパネル本体４ｂに沿って下方に向けて所定距離延びる垂下板６２と、を有している。尚、上部縁材６は、アルミ合金製の押出成形品である。
【００２２】
垂下板６２は、パネル本体４ｂの前面側に沿って当接することにより、上部パネル支持体２と下部パネル支持体３との間にガラスパネル４が取付けられた状態において、パネル本体４ｂに対して後方側から水平方向に応力が働いた場合にパネル本体４ｂが抜け出ないように支持できるようになっている。また、垂下板６２がパネル本体４ｂの前面側に沿って当接するため、パネル本体４ｂの上端面４ｃに対して水平板６０を固定する際に、前後方向の位置合わせを行いやすくなっている。
【００２３】
また、水平板６０の長手方向及び前後方向の寸法をパネル本体４ｂの上端面４ｃの長手方向及び前後方向の寸法とそれぞれ略同寸にすることにより、水平板６０とパネル本体４ｂの上端面４ｃの間の接着面積が大きくなり、両面接着テープあるいはホットメルト接着剤５による接着力が高められている。
【００２４】
挿入板６１の前後方向の寸法は、後述する上部挿入溝２７の前後方向の寸法よりも小さくなっており、ガラスパネル４を斜めに傾斜させたまま挿入板６１を上部挿入溝２７内に挿入できるとともに、挿入板６１が上部挿入溝２７内に挿入された状態のまま、ガラスパネル４を回動させて垂直に立ち上げることができる。尚、挿入板６１のたわみを利用してガラスパネル４を回動させるようにしてもよく、この場合には、上部挿入溝２７と挿入板６１との前後方向の隙間は必須ではない。
【００２５】
尚、挿入板６１を切欠く等して長手方向の寸法をパネル本体４ｂの上端面４ｃの長手方向の寸法よりも短寸に形成することにより、挿入板６１の側面を下方から視認でき、挿入板６１を後述する上部支持部材２２の上部挿入溝２７に挿入させるための位置合わせと挿入作業を容易に行えるようにしてもよい。また、挿入板６１は、水平板６０に対して複数形成されてもよい。
【００２６】
次いで、下部縁材７について詳しく説明する。尚、前方側に取付けられるガラスパネル４の下部縁材７について説明する。図５に示されるように、ガラスパネル４を構成する下部縁材７は、パネル本体４ｂの下端面４ｅに両面接着テープあるいはホットメルト接着剤５により固定される水平板７０と、水平板７０の前端からパネル本体４ｂの前面に沿って上方に向けて延びる支持片７１と、水平板７０の前端から下方に向けて突設される当接片７２と、水平板７０の後端から下方に向けて突設される係合片７３と、から構成されている。尚、下部縁材７は、アルミ合金製の押出成形品である。
【００２７】
支持片７１は、水平板７０の前端からパネル本体４ｂの前面に沿って上方に向けて所定距離延び、上部パネル支持体２と下部パネル支持体３との間にガラスパネル４が取付けられた状態において、パネル本体４ｂに対して後方側から水平方向に応力が働いた場合にパネル本体４ｂが抜け出ないように支持できるようになっている。
【００２８】
当接片７２は、下部縁材７の水平板７０の前端から下方に向けて突設され、下方に向けて後述する巾木３０側（後方側）に漸次拡張した形状をなし、当接片７２の下端に形成される当接面７２ａが後述する下部支持部材３２の当接面３８ｄに上方から当接することにより、ガラスパネル４から下方向にかかる荷重と、ガラスパネル４が前方側に倒れる方向にかかる荷重を支持できるようになっており、ガラスパネル４の取付け状態における安定性を高めている。
【００２９】
係合片７３は、下部縁材７の水平板７０の後端から下方に向けて突設され、下方に向けて巾木３０側に漸次減縮した形状をなし、後述する下部支持部材３２の被係合部３８ｃに係合可能になっている。言い換えれば、係合片７３の前方側には、下方に向けて前方側から後方側へ傾斜する傾斜面７３ｂが形成されている。また、係合片７３の後方側には、パネル本体４ｂの後面４ｄと略面一となる垂直面７３ａが形成されている。
【００３０】
また、下部縁材７の水平板７０の長手方向及び前後方向の寸法をパネル本体４ｂの下端面４ｅの長手方向及び前後方向の寸法とそれぞれ略同寸にすることにより、下部縁材７の水平板７０とパネル本体４ｂの下端面４ｅの間の接着面積が大きくなり、両面接着テープあるいはホットメルト接着剤５による接着力を高められるようになっている。
【００３１】
次いで、吊支パネル１１について詳しく説明する。図２及び図３に示されるように、吊支パネル１１は、前述したパネル本体４ｂの上下方向及び左右方向の寸法と略同寸の１枚の強化ガラスである吊支パネル本体１１ａと、吊支パネル本体１１ａの上端部において左右方向に離間させて取付けられる吊支装置１５，１５（図６参照）と、から主に構成されている。尚、吊支パネル本体１１ａとしては、展示部９内に配置される吊支パネル１１自体を視認し難くして目立たなくするために高透過性のガラスが使用されている。また、吊支装置１５，１５は、同一構成であるため、一方の吊支装置１５について説明し、他方の吊支装置１５についての説明を省略する。
【００３２】
図２に示されるように、吊支パネル本体１１ａには、後述する展示部９の開口部９ａ（開口端部）側（図２紙面左方側）の前後両面に側面視略コ字状をなす把手１２，１２がそれぞれ取付けられている。これによれば、把手１２，１２を把持することにより、吊支パネル本体１１ａに直接触れることなく、手動で吊支パネル１１を後述するレール部２６に沿って左右方向に移動させることができる。
【００３３】
また、図１に示されるように、吊支パネル本体１１ａの後述する展示部９の当接部８側（図１紙面右方側）の側端部には、吊支パネル１１が展示部９内に配置された際に、当接部８に設けられる後述する当接部材８３（図７参照）に当接する保護材１４が上下方向に亘って取付けられている。尚、保護材１４は、透光性と耐衝撃性が高いポリカーボネート製であり、吊支パネル本体１１ａに取付けられた状態において目立ち難く、吊支パネル１１が展示部９の当接部８に当接した際の衝撃から吊支パネル本体１１ａを保護できるようになっている。
【００３４】
尚、吊支パネル本体１１ａの上端部は、所定位置を切欠かれることにより凹凸形状（図６参照）をなしており、後述する吊支装置１５の支持ボルト１８や挟持板１９，１９を締結するためのボルト１９ｂ，１９ｂに緩衝しないようになっている。また、吊支装置１５は、下方に窪む当該凹部に取付けられるため、吊支パネル本体１１ａの凸部の上端を天井Ｃに近づけた構成とすることができる。
【００３５】
図４及び図６に示されるように、吊支装置１５は、吊支パネル本体１１ａの上端部に取付けられ、後述するレール部２６内を左右方向（レール部２６の延伸方向）に走行可能なローラ部１６（走行体）と、該ローラ部１６に吊支パネル本体１１ａを連結する連結部１７と、から主に構成されている。
【００３６】
ローラ部１６は、後述する支持ボルト１８の胴部１８ｂが螺合される基部１６ａと、基部１６ａの前後面に左右方向に離間して前後一対ずつ軸支される走行ローラ１６ｂ，１６ｂ，１６ｂ，１６ｂと、から構成され、後述するレール部２６の走行板２６ａ，２６ａ上を左右方向に滑らかに走行できるようになっている。
【００３７】
連結部１７は、ローラ部１６の基部１６ａに螺合され下方に延びる支持ボルト１８と、支持ボルト１８に対して前後から取付けられる一対の挟持板１９，１９と、から主に構成されている。
【００３８】
支持ボルト１８は、頭部１８ａを下方に向けた状態でローラ部１６の基部１６ａに螺合されるとともに、予め胴部１８ｂに挿通されるナット１８ｃとその頭部１８ａとの間に挟持板１９，１９の左右略中央から対向するように延出する連結片１９ａ，１９ａを上下に重ねて配置した状態で締結することにより、支持ボルト１８に対して挟持板１９，１９を強固に固定できるようになっている。尚、後段にて詳述するが挟持板１９，１９は、支持ボルト１８に固定されることによりレール部２６の下方に配置された状態になっている。
【００３９】
挟持板１９，１９には、左右方向に離間して前後方向に貫通する図示しない貫通孔が穿設されており、この貫通孔にボルト１９ｂ，１９ｂを挿通して締付けることにより、挟持板１９，１９の前後方向の離間寸法を調整できるようになっている。これによれば、吊支パネル本体１１ａの上端部をレール部２６の下方に配置される挟持板１９，１９間に下方から挿入した状態でボルト１９ｂ，１９ｂを締付けることにより、吊支パネル本体１１ａの上端部を挟持板１９，１９により挟持して強固に固定することができる。また、前述したように、吊支パネル本体１１ａの上端部は切欠かれて凹凸形状をなしているため、挟持板１９，１９間における位置合わせが行いやすく、吊支パネル１１をレール部２６に吊支するための取付け施工を容易に行うことができるようになっている。
【００４０】
尚、図６に示されるように、レール部２６には、吊支パネル１１において展示部９の当接部８側に取付けられる吊支装置１５のローラ部１６に接触するストッパ１６ｃが所定位置に設けられることにより、吊支パネル１１が展示部９の当接部８に激しく衝突しないように吊支パネル１１の移動を規制することができる。また、ストッパ１６ｃには、ショックアブソーバが内蔵されており、吊支装置１５のローラ部１６が接触した際の衝撃を吸収できるようになっている。
【００４１】
次いで、上部パネル支持体２について詳しく説明する。図３及び図４に示されるように、天井Ｃには、側面視下向きコ字状をなす笠木２０が天井裏に配置される側面視上向き略コ字状をなす固定部材２９と複数の固定ボルト５０，５０，…によって連結されることにより、天井Ｃを挟み込むようにして強固に固定されている。このとき、笠木２０の天板２０ａには、笠木２０の延伸方向に沿って複数の連結金具２１，２１，…（図３及び図４では、１つの連結金具２１のみを示している）が固定ボルト５０，５０，…によって笠木２０と共締めされることにより固定されている。さらに、連結金具２１，２１，…には、笠木２０の下方から外嵌される後述する上部支持部材２２の連結部２４が複数の連結ボルト２１ａ，２１ａ，…によって一体に連結されている。言い換えれば、上部支持部材２２は、天井Ｃに対して笠木２０と一体に取付けられるようになっている。尚、連結金具２１は、板材を複数重ね合わせることにより構成されており、板材の枚数を変更することで笠木２０に外嵌される上部支持部材２２の高さ位置を調整可能になっている。また、固定ボルト５０と連結ボルト２１ａの説明の便宜上、図４においては、連結ボルト２１ａの胴部を破線で表示している。
【００４２】
尚、本実施例における上部パネル支持体２は、笠木２０と上部支持部材２２を合わせたものとなっている。また、上部パネル支持体２を構成する笠木２０と上部支持部材２２は、アルミ合金製の押出成形品である。
【００４３】
上部支持部材２２は、下方から前後方向に対向する側面視略Ｌ字状の走行板２６ａ，２６ａからなるレール部２６（レール）と、走行板２６ａ，２６ａの上下略中央からそれぞれ前後方向外側に向けて延びる前方支持部２５及び後方支持部２５’と、前述した連結金具２１に下方から当接する前後一対の当接片２４ｂ，２４ｂを有する側面視ロ字状の連結部２４と、から主に構成されている。
【００４４】
また、上部支持部材２２には、笠木２０の前後の側板２０ｂ，２０ｂの外面に沿って上方に延び前方支持部２５及び後方支持部２５’を構成する前後の起立板２５ａ，２５ａと、前後の起立板２５ａ，２５ａの間に形成される連結部２４と、前後の起立板２５ａ，２５ａの間に形成されるレール部２６と、から側面視上向き略コ字状構造の上向き開放部分である嵌合部２３が形成され、笠木２０を下方から覆うように外嵌される。尚、前方支持部２５及び後方支持部２５’の構造は、同一構成であるため、前方支持部２５の構造について説明し、後方支持部２５’の構造についての説明を省略する。
【００４５】
連結部２４は、レール部２６を構成する前後の走行板２６ａ，２６ａを笠木２０の内部で前後方向に連結する連結板２４ａと、連結板２４ａの上面から上方に延び連結金具２１に下方から当接する前後一対の当接片２４ｂ，２４ｂと、当接片２４ｂ，２４ｂを前後方向に連結するとともに上部支持部材２２と連結金具２１とを一体に連結するための連結ボルト２１ａが挿通される取付板２４ｃと、から構成されている。
【００４６】
前方支持部２５は、前方側の起立板２５ａの上端から前方に向けて延びる上板２５ｂと、上板２５ｂの前端から下方に向けて延び起立板２５ａと対向する対向板２５ｃと、から主に構成され、起立板２５ａと上板２５ｂと対向板２５ｃの３つの板から側面視下向き略コ字状の上部挿入溝２７が形成されている。
【００４７】
また、対向板２５ｃの下端は、起立板２５ａの下端よりも上方に形成されている。言い換えれば、上部挿入溝２７の開口部２７ａは、起立板２５ａの下端よりも上方に形成されている。
【００４８】
また、対向板２５ｃには、前方側に向けて係止部２５ｄが形成されており、前面カバー部材１０ｂが係止されることにより取付けられ、上部パネル支持体２に対するガラスパネル４の取付け構造を隠せるようになっている。
【００４９】
レール部２６は、連結部２４を構成する連結板２４ａの前後両端から下方に延び端部同士が前後方向に対向して側面視略Ｌ字状に形成される走行板２６ａ，２６ａから構成されており、走行板２６ａ，２６ａの対向端部間、すなわちレール部２６の前後略中央において下方に開放する開口部２６ｂが形成されるとともに、連結部２４の連結板２４ａと前後の走行板２６ａ，２６ａにより上部支持部材２２の内部に側面視矩形状の空間が形成されている。
【００５０】
レール部２６内には、前述した吊支装置１５のローラ部１６を配置できるようになっており、前後方向に対向する走行板２６ａ，２６ａ上を走行ローラ１６ｂ，１６ｂ，１６ｂ，１６ｂが走行できるようになっている。また、レール部２６の開口部２６ｂからは、ローラ部１６の基部１６ａに螺合される吊支装置１５の支持ボルト１８を下方に突出させることができ、レール部２６の下方に支持ボルト１８に固定される挟持板１９，１９を配置できるようになっている。尚、レール部２６の開口部２６ｂは、吊支装置１５のローラ部１６が配置されるレール部２６内の前後寸法よりも走行板２６ａ，２６ａの前後寸法分だけ狭くなるように構成されているため、レール部２６内に配置される吊支装置１５のローラ部１６が見え難くなり、美観を高めることができる。
【００５１】
また、レール部２６の走行板２６ａ，２６ａの前後方向外側には、係止部２６ｃ，２６ｃがそれぞれ形成されており、左右方向に延びる側面視略Ｌ字状のレールカバー２８，２８（図１，図４参照）がそれぞれ係止されることにより取付けられ、レール部２６の下方において、レール部２６及びレール部２６に吊支される吊支パネル１１の吊支装置１５，１５、すなわち、吊支パネル１１の吊支構造を隠せるようになっている。尚、レールカバー２８，２８は、上部支持部材２２の前後の起立板２５ａ，２５ａに対して上下方向にそれぞれ略面一になるように取付けられる。
【００５２】
次いで、下部パネル支持体３について詳しく説明する。図３及び図５に示されるように、床面Ｆには、側面視上向きコ字状をなす巾木３０が複数のアンカーボルト５１，５１，…により固定されている。このとき、巾木３０の底板３０ａには、側面視上向きコ字状をなす案内部材３１がアンカーボルト５１，５１，…によって巾木３０と共締めされることにより固定されている。
【００５３】
巾木３０の内部には、巾木３０の底板３０ａと、巾木３０の前後の側板３０ｂ，３０ｂと、案内部材３１の側板３１ｂ，３１ｂとから巾木３０の延伸方向に亘って前後一対の側面視上向きコ字状の開口部３３，３３が形成され、開口部３３，３３の所定位置には、アジャスタ機構３４，３４がそれぞれ配設されている。尚、アジャスタ機構３４は、各開口部３３において左右方向に離間した状態で少なくとも２つ以上設けられている。
【００５４】
アジャスタ機構３４，３４は、開口部３３，３３内でそれぞれ前後に亘って設けられる基部３４ａ，３４ａと、基部３４ａ，３４ａに設けられるねじ孔３４ｂ，３４ｂに上方から螺合されるアジャスタボルト３５，３５と、から構成され、基部３４ａ，３４ａは、側面視略Ｌ字状の脚部３４ｃ，３４ｃを介して巾木３０の底板３０ａに固定されている。尚、アジャスタ機構３４，３４は、基部３４ａ，３４ａが巾木３０の前後の側板３０ｂ，３０ｂに溶接固定され、脚部３４ｃ，３４ｃの下端部が巾木３０の底板３０ａに溶接固定されることにより開口部３３，３３内にそれぞれ強固に固定されているため、前後に取付けられるガラスパネル４，４の荷重を受けても変形することがない。
【００５５】
アジャスタボルト３５，３５は、基部３４ａ，３４ａのねじ孔３４ｂ，３４ｂに対する締付け具合により、開口部３３，３３の上方に突出する頭部３５ａ，３５ａの高さ位置を調整可能となっている。そのため、前方側の開口部３３の上方から外嵌される下部支持部材３２及び後方側の開口部３３の上方から外嵌される下部支持部材３２’をアジャスタボルト３５，３５の頭部３５ａ，３５ａにより下方から支持できるとともに、巾木３０に対する下部支持部材３２，３２’の高さ位置を個別に調整でき、下部パネル支持体３のレベル調整を行いやすい。また、下部支持部材３２，３２’は、前後方向において分割されることにより施工時の運搬や取付け作業が行いやすく、施工性が高められている。
【００５６】
尚、本実施例における下部パネル支持体３は、巾木３０と下部支持部材３２を合わせたものとなっている。さらに尚、下部パネル支持体３を構成する巾木３０と下部支持部材３２，３２’は、アルミ合金製の押出成形品である。また、下部支持部材３２，３２’の構造は、同一構成であるため、前方側に取付けられる下部支持部材３２の構造について説明し、後方側に取付けられる下部支持部材３２’の構造についての説明を省略する。
【００５７】
下部支持部材３２は、巾木３０の上方に突出するアジャスタボルト３５の頭部３５ａにより支持される上方支持板３７と、上方支持板３７の前端から下方に延び巾木３０の前方側の側板３０ｂの外面側に配置される支持部３８と、上方支持板３７の後端から下方に延び案内部材３１の前方側の側板３１ｂの内面に沿って下方に向けて延びる案内板３９と、から構成されている。
【００５８】
また、下部支持部材３２には、支持部３８において上方支持板３７の前端から巾木３０の前方側の側板３０ｂの外面に沿って下方に向けて延びる支持板３８ａと、上述した上方支持板３７及び案内板３９と、から構成される側面視下向きコ字状構造の下向き開放部分である嵌合部３６が形成され、巾木３０の前方側の開口部３３を上方から覆うように外嵌される。
【００５９】
支持部３８は、上述した支持板３８ａと、支持板３８ａの下端から前方に向けて延びる水平板３８ｂと、から主に構成され、水平板３８ｂの上面側には、前述した下部縁材７の係合片７３と係合する被係合部３８ｃと、当接片７２と当接する当接面３８ｄが形成される。
【００６０】
被係合部３８ｃは、支持板３８ａの前面側に相当する垂直面３８ｅと、支持板３８ａの下端から前方側に向けて斜め上方向に傾斜する傾斜面３８ｆと、から構成されている。言い換えれば、被係合部３８ｃは、前方側から下方に向けて巾木３０側（後方側）に漸次減縮した形状をなし、前述したガラスパネル４の係合片７３と係合可能になっている。また、被係合部３８ｃに係合片７３が係合されると、被係合部３８ｃの傾斜面３８ｆは、係合片７３の傾斜面７３ｂと当接し、被係合部３８ｃの垂直面３８ｅは、係合片７３の垂直面７３ａと当接した状態となっているため、ガラスパネル４が浮き上がる等して前方側に移動した場合であっても、被係合部３８ｃの傾斜面３８ｆの傾斜に沿って係合片７３が滑り、被係合部３８ｃの垂直面３８ｅと係合片７３の垂直面７３ａとが当接した状態に戻るように案内される。
【００６１】
当接面３８ｄは、被係合部３８ｃの前方側に形成され、前述したガラスパネル４の当接片７２が上方から当接することにより、ガラスパネル４から下方向にかかる荷重と、ガラスパネル４が前方側に倒れる方向にかかる荷重を支持できるようになっており、ガラスパネル４の取付け状態における安定性を高めている。
【００６２】
また、被係合部３８ｃ及び当接面３８ｄの下方には、係止部３８ｇが形成されており、前面カバー部材１０ｂが係止されることにより取付けられ、下部パネル支持体３とガラスパネル４の取付け構造を隠せるようになっている。
【００６３】
尚、下部支持部材３２は、アジャスタ機構３４により高さ位置の調整が行われた後、係止部３８ｇに前方側からビス５２が打ち込まれることにより、巾木３０と強固に固定される。
【００６４】
また、巾木３０の前後略中央には、案内部材３１の底板３１ａと、案内部材３１の前方側の側板３１ｂの内面に沿って下方に向けて延びる下部支持部材３２の案内板３９と、案内部材３１の後方側の側板３１ｂの内面に沿って下方に向けて延びる下部支持部材３２’の案内板３９と、から凹溝９０が形成され、レール部２６に吊支される吊支パネル１１（吊支パネル本体１１ａ）の下端部が緩嵌された状態で配置できるようになっている。
【００６５】
これによれば、パネル装置１に取付けられる前後一対のガラスパネル４，４の対向面間に吊支パネル１１を移動可能に吊支することができる。すなわち、吊支パネル１１が配置される展示部９をパネル装置１に取付けられる前後一対のガラスパネル４，４の対向面間に構成することができる。
【００６６】
また、吊支パネル１１の下端部は、下部パネル支持体３に形成される凹溝９０内に配置されているため、吊支パネル１１の下端部が外部から見えないように隠せるようになっており、展示部９内の美観が高められている。さらに、凹溝９０は前後方向に狭く構成されているため、吊支パネル１１の前後方向への揺動を凹溝９０内でガイドすることができ、吊支パネル１１を安定して吊支できるようになっている。
【００６７】
また、下部パネル支持体３に凹溝９０が一体に構成されることにより、吊支パネル１１の取付け施工時において、凹溝９０により下部パネル支持体３に対する吊支パネル１１の位置決めを容易に行うことができるため、下部パネル支持体３に吊支パネル１１の案内構造を構成するための施工が容易になる。さらに、吊支パネル１１の移動時においては、吊支パネル１１の下端部は、凹溝９０内に沿ってガイドされるようになっている。
【００６８】
また、巾木３０及び案内部材３１を共に側面視上向きコ字状に構成することにより、厚さの薄い巾木３０の底板３０ａ及び案内部材３１の底板３１ａから凹溝９０の底面の厚さが構成されるため、吊支パネル１１の下端を床面Ｆの近傍まで延ばすことができる。
【００６９】
次いで、パネル装置１における展示部９について詳しく説明する。図１、図２及び図７に示されるように、展示部９は、上部パネル支持体２及び下部パネル支持体３により支持される前後一対のガラスパネル４，４と、展示部９に配置される吊支パネル１１の側端部が当接する当接部８と、展示部９に対して吊支パネル１１を出し入れ可能な開口部９ａと、から形成されている。以下、上部パネル支持体２において、展示部９の開口部９ａから展示スペース側、すなわち展示部９側に延びる部分を上部パネル支持体２の本体部２ａとして説明する。
【００７０】
尚、展示部９の開口部９ａには、上部パネル支持体２と下部パネル支持体３との間に上下方向に亘って上面視略コ字状の開口部カバー１０ｃ（図７参照）が取付けられることにより、展示部９の開口部９ａを上下方向に亘って塞がれるため、展示部９内の遮蔽性が高められており、展示部９内への虫や塵等の侵入を防ぐことができる。
【００７１】
また、展示部９の開口部９ａからは、側壁Ｗ内に向かって上部パネル支持体２の本体部２ａと左右方向に連続する延設部２ｂが延びており、図２に示されるように、開口部カバー１０ｃを取外した状態では、展示部９の開口部９ａから吊支パネル１１を延設部２ｂのレール部２６（図９参照）に沿って側壁Ｗ内に引き出すことができるようになっている。尚、説明の便宜上、図示しないが、延設部２ｂのレール部２６には、端部近傍に前述したストッパ１６ｃが設けられている。
【００７２】
尚、上部パネル支持体２の延設部２ｂは、展示部９内から吊支パネル１１の略全体を引き出せるように、少なくとも吊支パネル１１の左右方向の寸法と略同寸が展示部９の開口部９ａから延設されている。これによれば、展示部９内から引き出された吊支パネル１１に対して展示物９９の取付け／取外しの作業を行いやすい。また、延設部２ｂにおいてレール部２６に対する吊支パネル１１の取付け施工を行うことができるため、施工性を高められる。
【００７３】
図７に示されるように、展示部９の当接部８は、笠木２０と巾木３０との間に立設される支柱８０と、支柱８０に対して展示部９の内部側（図７紙面左方側）から外嵌される側部支持部材８１と、パネル装置１の外側（図７紙面右方側）から外嵌されるエンドカバー１０ａ（図１及び図２参照）と、から主に構成されている。
【００７４】
側部支持部材８１は、ガラスパネル４，４の後面４ｄ，４ｄに当接することによりパネル装置１の構造強度を高める前後一対の当接板８１ｂ，８１ｂと、前面カバー部材１０ｂ，１０ｂを前後に係止させるための前後の係止部８１ｃ，８１ｃと、から主に構成されている。また、側部支持部材８１には、当接板８１ｂ，８１ｂを前後方向に連結する連結板８１ｄと、前後の係止部８１ｃ，８１ｃと、から構成される上面視略コ字状構造の開放部分である嵌合部８１ａが形成され、支柱８０を展示部９の内部側（左方側）から覆うように外嵌される。
【００７５】
当接板８１ｂ，８１ｂには、前後から取付けられるガラスパネル４，４の後面４ｄ，４ｄにそれぞれ当接し、衝撃緩衝材としての役割を果たすゴム製の弾性部材８７，８７が取付けられている。尚、前後の当接板８１ｂ，８１ｂの間には、パネル装置１の内面側から側面カバー部材１０ｅが係止されることにより取付けられ、側部支持部材８１の構造を隠せるようになっている。また、側面カバー部材１０ｅには、吊支パネル本体１１ａの側端部と当接し、衝撃緩衝材としての役割を果たす透明のゴム製の当接部材８３が取付けられている。
【００７６】
係止部８１ｃ，８１ｃには、前面カバー部材１０ｂ，１０ｂがそれぞれ係止されることにより取付けられ、側部支持部材８１に対する前後のガラスパネル４，４の取付け構造を隠せるようになっている。
【００７７】
展示部９の開口部９ａは、笠木２０と巾木３０との間に前後方向に離間して立設される前後一対の分割支柱９４，９４と、分割支柱９４，９４に前後からそれぞれ外嵌される分割フレーム９５，９５とから主に構成されている。尚、前後の分割支柱９４，９４及び分割フレーム９５，９５は、同一構成であるため、パネル装置１の前方側（図７紙面下方側）に取付けられる分割支柱９４及び分割フレーム９５について説明し、後方側に取付けられる分割支柱９４及び分割フレーム９５についての説明を省略する。
【００７８】
分割フレーム９５は、分割支柱９４が外部に露出しないように隠すカバー部９５ａと、ガラスパネル４の後面４ｄに当接することによりパネル装置１の構造強度を高める当接部９５ｂと、前面カバー部材１０ｂを係止させて取付けるための係止部９５ｃと、から構成されている。
【００７９】
分割フレーム９５の当接部９５ｂには、展示部９内において、吊支パネル本体１１ａに対して当接するブラシ状のモヘアシール９６が設けられることにより、吊支パネル本体１１ａを傷付けることなく展示部９の開口部９ａに対する展示部９内の遮蔽性を高めることができ、展示部９内への虫や塵等の侵入を防ぐことができる。モヘアシール９６は、吊支パネル１１を移動させる際に展示物９９と接触しないように一部が上下方向に切欠かれた状態で設けられている。尚、モヘアシール９６を前後方向に移動可能な構成として、展示物９９との接触を回避するようにしてもよい。
【００８０】
また、展示部９内は、遮蔽性が高められているため、展示部９内に吊支パネル１１が押し込まれていく過程において、吊支パネル１１により押し込まれた展示部９内の空気が、モヘアシール９６を通過して展示部９の開口部９ａから外部に向かって流出することにより、展示部９内への虫や塵等の侵入を抑えられるようになっている。
【００８１】
分割フレーム９５の当接部９５ｂには、前方側から取付けられるガラスパネル４，４の後面４ｄに当接し、衝撃緩衝材としての役割を果たすゴム製の弾性部材９７が嵌め込まれている。
【００８２】
分割フレーム９５の係止部９５ｃには、前面カバー部材１０ｂが係止されることにより取付けられ、分割フレーム９５に対するガラスパネル４の取付け構造を隠せるようになっている。
【００８３】
尚、展示部９の開口部９ａの外側近傍の床面Ｆ、すなわち上部パネル支持体２の延設部２ｂと上下方向に対向する床面Ｆには、後段にて詳述するパネルガイド９１（図８及び図１０参照）が設けられている。
【００８４】
次いで、上部パネル支持体２の延設部２ｂについて詳しく説明する。図９に示されるように、上部パネル支持体２の延設部２ｂにおいて、上部パネル支持体２の上部支持部材２２には、前後の前方支持部２５及び後方支持部２５’にガラスパネル４，４を取付ける必要がないため、前後の対向板２５ｃ，２５ｃに設けられる係止部２５ｄ，２５ｄに対して前述した前面カバー部材１０ｂの代わりに延設部用前面カバー部材１０ｄ，１０ｄが取付けられる。尚、延設部用前面カバー部材１０ｄは、前面カバー部材１０ｂと略同一形状であり、下端部が上部支持部材２２の係止部２６ｃに取付けられるレールカバー２８に当接する位置まで延び、上部パネル支持体２の本体部２ａに取付けられる前面カバー部材１０ｂとの連続性を維持しながら、上部支持部材２２の延設部２ｂにおける前方支持部２５及び後方支持部２５’の構造を隠せるようになっている。さらに、前面カバー部材１０ｂと延設部用前面カバー部材１０ｄの上下寸法は略同じであり、略同じ高さに取付けられるため、上部支持部材２２の本体部２ａと延設部２ｂの上端において前面カバー部材１０ｂ及び延設部用前面カバー部材１０ｄが連続性を持って配置される。そのため、例えば、上部パネル支持体２の延設部２ｂの少なくとも一部が側壁Ｗから突出し、上部パネル支持体２の本体部２ａと連続した状態で展示スペース側に配置された場合であっても、上部パネル支持体２の外観に連続性が維持され、美観に優れる。
【００８５】
また、図１０に示されるように、展示部９の開口部９ａの外側近傍の床面Ｆには、側面視上向き略コ字状をなすパネルガイド９１がビス９８により固着され、吊支パネル１１（吊支パネル本体１１ａ）の下端部が床面Ｆに固着される基部９１ａから前後に立設するガイド片９１ｂ，９１ｂ間において近接した状態で配置されている。尚、ガイド片９１ｂ，９１ｂの前後方向の離間寸法は、展示部９の開口部９ａの前後寸法よりも小さくなっている。これによれば、吊支パネル１１の下端部がガイド片９１ｂ，９１ｂ間においてガイドされることにより、吊支パネル１１の前後方向への揺動を抑えることができる。
【００８６】
次いで、展示部９における上部パネル支持体２の本体部２ａ（以下、単に上部パネル支持体２という）及び下部パネル支持体３に対するガラスパネル４の取付け方法について説明する。尚、ここでは、予め上部パネル支持体２及び下部パネル支持体３に対して展示部９を構成する後方側のガラスパネル４を取付け、レール部２６内に配置された吊支装置１５の挟持板１９，１９に吊支パネル本体１１ａを取付けた状態において、最後に前方側のガラスパネル４（以下、単にガラスパネル４ともいう）を取付ける場合を例に挙げて説明する。
【００８７】
図１１（ａ）に示されるように、まず、ガラスパネル４の上方を上部パネル支持体２側に傾斜させた状態で持ち、ガラスパネル４の上端に固定された上部縁材６の挿入板６１を上部パネル支持体２の前方支持部２５に設けられた上部挿入溝２７に挿入する。このとき、ガラスパネル４に設けられた挿入板６１の後方側の垂直面６１ａを前方支持部２５の起立板２５ａに当接させて上方に向けて滑らせることにより、上方に位置する上部挿入溝２７へ挿入板６１を案内させることができるので、上部挿入溝２７に対する挿入板６１の挿入を安全に且つ確実に行うことができる。
【００８８】
次に、図１１（ｂ）に示されるように、上部挿入溝２７に挿入板６１が挿入された状態で当該箇所を中心としてガラスパネル４の下端を下部パネル支持体３に近接させるように回動させ、ガラスパネル４の下端を略水平に移動させる。このとき、ガラスパネル４を持ち上げ、上部挿入溝２７に挿入板６１の略全体が挿入されている状態でガラスパネル４を回動させることにより、パネル本体４ｂの下端に固定された下部縁材７が下部パネル支持体３の前方側に突出している被係合部３８ｃ及び当接面３８ｄに接触することなく、ガラスパネル４の下端を下部パネル支持体３に近接させることができ、ガラスパネル４の回動を安全かつ確実に行うことができる。
【００８９】
最後に、図１１（ｃ）に示されるように、挿入板６１の垂直面６１ａ及び係合片７３の垂直面７３ａを上部パネル支持体２の前方支持部２５に設けられた起立板２５ａ及び下部パネル支持体３の下部支持部材３２の支持部３８に設けられた支持板３８ａに当接させた状態で真下に落とし込むことにより、図１１（ｄ）に示されるように、ガラスパネル４の下端に設けられた係合片７３を支持部３８の被係合部３８ｃに係合させることができる。また、同時に、ガラスパネル４の下端に設けられた当接片７２の当接面７２ａを下部パネル支持体３の支持部３８に設けられた当接面３８ｄに上方から当接させることができる。このとき、被係合部３８ｃを構成する垂直面３８ｅの下端から上部挿入溝２７の開口部２７ａまでの上下寸法Ｌ２よりもガラスパネル４の上下寸法Ｌ１（上部縁材６の挿入板６１の上端から下部縁材７の係合片７３の下端までの上下寸法）が大きくなっており、上部挿入溝２７に挿入板６１が挿入された状態が保持されている（図３参照）。
【００９０】
これにより、上部パネル支持体２及び下部パネル支持体３に対するガラスパネル４の取付けが完了し、下部パネル支持体３の支持部３８に設けられた被係合部３８ｃにガラスパネル４の下端に設けられた係合片７３が係合された状態で、同時に上部パネル支持体２の前方支持部２５に設けられた上部挿入溝２７に挿入板６１が挿入された状態とすることができ、且つ挿入板６１の垂直面６１ａと、係合片７３の垂直面７３ａと、を上部支持部材２２の起立板２５ａ及び下部支持部材３２の支持板３８ａに当接させた状態とすることができるので、ガラスパネル４を上部パネル支持体２及び下部パネル支持体３に対して安定して保持させることができる。このように、パネル装置１は、展示部９を構成するガラスパネル４の着脱施工を容易に行うことができるため、展示部９内の清掃等のメンテナンス作業を行いやすい。
【００９１】
また、上述の寸法関係（Ｌ１＞Ｌ２）であるため、ガラスパネル４を上部パネル支持体２及び下部パネル支持体３に取付けた状態でガラスパネル４が前後に倒れることがない。
【００９２】
以上説明したように、本実施例におけるパネル装置１は、上部パネル支持体２に取付けられる前後一対のガラスパネル４，４の対向面間に形成される展示部９において左右に延びるレール部２６と、前後に対向するガラスパネル４，４間において該レール部２６に沿って左右に走行可能な吊支装置１５，１５（ローラ部１６，１６）を備え、吊支装置１５，１５は、展示物９９を取付け可能な吊支パネル１１（吊支パネル本体１１ａ）を吊支可能であるため、吊支装置１５，１５をレール部２６に沿って走行させることにより吊支パネル１１に取付けられた展示物９９を左右方向に移動させることができるため、床面Ｆから天井Ｃ側に亘って取付けられ前後に対向するガラスパネル４，４間（展示部９）に収容される展示物９９の位置合わせを容易に行うことができる。
【００９３】
また、前後に対向するガラスパネル４，４の側端部に構成される展示部９の開口部９ａから、吊支パネル１１に取付けられた展示物９９を出し入れすることができるため、ガラスパネル４，４間（展示部９）への展示物９９の収容が容易である。
【００９４】
また、上部パネル支持体２において、上部支持部材２２のレール部２６は、展示部９の開口部９ａから左右方向外側に延長されている、すなわち上部パネル支持体２の延設部２ｂが設けられているため、ガラスパネル４，４間（展示部９）に収容される展示物９９が吊支パネル１１に取付けられ吊支装置１５，１５により吊支された状態でレール部２６に沿って展示部９の開口部９ａから上部パネル支持体２の延設部２ｂに移動させることができるため、展示物９９の出し入れを行いやすい。
【００９５】
また、吊支装置１５，１５には、板状の吊支パネル１１が吊支され、吊支パネル１１の面部に展示物９９を取付けることにより、前後に対向するガラスパネル４，４間（展示部９）に展示物９９を安定した状態で収容することができる。また、物品として板状のスクリーン等が吊支装置１５，１５に直接吊支された場合にも安定した状態で収容することができる。
【００９６】
また、展示部９を構成する前後一対のガラスパネル４，４及び吊支パネル１１を構成する吊支パネル本体１１ａが共に透光性を有しており、吊支パネル本体１１ａに展示物９９を取付けることにより、前後方向に並列に配置されるガラスパネル４，４と吊支パネル本体１１ａとが重畳して吊支パネル本体１１ａが外部から判別し難くなるため、展示物９９の吊支構造が認識され難く、展示部９に収容される展示物９９があたかも空間上に配置されているような演出効果を得ることができる。
【００９７】
さらに、上部支持部材２２において、レール部２６の下向きの開口部２６ｂは、吊支装置１５のローラ部１６が配置されるレール部２６内の前後寸法よりも走行板２６ａ，２６ａの前後寸法分だけ狭くなるように構成され、かつレール部２６の下方側にレールカバー２８，２８が取付けられることにより、展示物９９を鑑賞する際に視線が水平角あるいは仰角となる場合であっても、吊支パネル１１の吊支構造が視認し難くなっている。
【００９８】
また、展示部９において吊支パネル１１の吊支構造を目立ち難くするために、吊支装置１５，１５が天井近くの高い位置に設けられているが、上部パネル支持体２の上部支持部材２２にレール部２６が構成されており、該レール部２６に沿って吊支装置１５，１５のローラ部１６，１６を滑らかに走行させることができるため、把手１２、１２を把持して操作すればよいので高所作業の必要がなく、吊支パネル１１の位置合わせの作業を容易に行うことができる。
【００９９】
また、ガラスパネル４の取付け施工において、ガラスパネル４は、上部支持部材２２の起立板２５ａ，２５ａ及び下部支持部材３２，３２’の支持板３８ａ，３８ａよりもパネル装置１の内側に入り込むことがないため、予めレール部２６に吊支パネル１１を取付けた状態であっても、吊支パネル１１に取付けられる展示物９９とガラスパネル４が接触することがなく安全に作業することができる。さらに、レールカバー２８，２８は、上部支持部材２２の前方支持部２５及び後方支持部２５’における起立板２５ａ，２５ａと面一になるように取付けられるため、ガラスパネル４の取付け施工の邪魔にならない。
【０１００】
また、ガラスパネル４が取付けられた状態において、ガラスパネル４と笠木２０及び巾木３０との距離が近くなっているため、パネル装置１の前後寸法の変更幅（笠木２０及び巾木３０の前後寸法の変更幅）を大きく取ることが可能となり、例えば、パネル装置１の前後寸法を小さくした場合であっても、笠木２０及び巾木３０の前後寸法をできる限り大きくして下部パネル支持体３の支持強度を高めることができ、安定性が高まるので、パネル装置１の設計自由度が高くなっている。
【０１０１】
また、上部支持部材２２において、ガラスパネル４，４を前後方向に離間させて取付けるための前方支持部２５及び後方支持部２５’の間のスペースを利用して吊支パネル１１を吊支するためのレール部２６をコンパクトに構成できる。さらに、上部支持部材２２において、レール部２６内に配置される吊支装置１５，１５のローラ部１６，１６と、前方支持部２５及び後方支持部２５’に取付けられるガラスパネル４，４の上端部との高さ位置が近くなっており、吊支パネル１１の吊支構造とガラスパネル４，４の取付け構造を上部支持部材２２内の近い位置にコンパクトに構成できるため、それぞれに必要な支持強度を互いに補い合う構造とすることができる。
【０１０２】
また、上部支持部材２２において、連結部２４の直下に吊支装置１５のローラ部１６が配置されるレール部２６が設けられているため、吊支パネル１１が取付けられた状態において、吊支パネル１１の上端と笠木２０との上下方向の距離が近くなっている。さらに、上部支持部材２２において、笠木２０に固定される連結金具２１，２１，…との連結部分として剛性が必要となる連結部２４の構造を利用してレール部２６が形成されており、上部支持部材２２全体をコンパクトに構成できるため、吊支パネル１１の上下寸法を大きく取ることが可能となり、展示部９に収容される展示物９９があたかも空間上に配置されているような演出効果をより高めることができる。
【０１０３】
また、上部パネル支持体２は、上部支持部材２２の前後にガラスパネル４，４を取付けるための前方支持部２５及び後方支持部２５’を有し、前方支持部２５及び後方支持部２５’の間に吊支パネル１１を吊支可能なレール部２６が一体成形されているため、構造強度が高くなるとともに、天井Ｃに設けられる上部パネル支持体２に対して別途レール部２６の取付け施工を行う必要がなく、設置現場において上部パネル支持体２に吊支パネル１１の吊支構造を構成するための施工が容易になる。
【０１０４】
また、下部パネル支持体３は、下部支持部材３２，３２’の前後にガラスパネル４，４，…を支持するための支持部３８，３８をそれぞれ有し、該下部支持部材３２，３２’の間に吊支パネル１１（吊支パネル本体１１ａ）の下端部を案内する凹溝９０が一体に構成されているため、設置現場において床面Ｆに設けられた下部パネル支持体３に吊支パネル１１の案内構造を構成するための施工が容易になる。
【０１０５】
さらに、下部パネル支持体３は、前方側でガラスパネル４を支持する支持部３８を有する下部支持部材３２と、後方側でガラスパネル４を支持する支持部３８を有する下部支持部材３２’とに分割され、前後に対向して凹溝９０を構成する案内板３９，３９をそれぞれ備えているため、下部支持部材３２，３２’を個別に離間させて設置することができ、下部パネル支持体３に吊支パネル１１の案内構造を容易に構成できる。
【０１０６】
また、下部パネル支持体３において、巾木３０に形成される前後一対の断面上向きコ字形の開口部３３，３３に上方からそれぞれ断面上向きコ字形の下部支持部材３２，３２’がそれぞれ外嵌されることにより、下部パネル支持体３の構造が補強されるため、下部支持部材３２，３２’を前後に分割しても下部パネル支持体３におけるガラスパネル４，４，…の支持強度を高めることができる。
【０１０７】
また、吊支パネル本体１１ａの上端部に取付けられる吊支装置１５，１５のローラ部１６，１６は、上部支持部材２２のレール部２６内において前後の走行板２６ａ，２６ａ上に安定して走行できるように配置されるとともに、吊支パネル本体１１ａの下端部は、下部パネル支持体３に構成される凹溝９０内に配置されることにより、吊支パネル１１の前後方向への揺動を抑えることができるため、地震による揺れ等の力を受けても展示部９内において吊支パネル１１が安定した状態で保持され、落下することがない。
【実施例２】
【０１０８】
実施例２に係るパネル装置につき、図１２を参照して説明する。実施例２は、実施例１のパネル装置１の下部パネル支持体３の構成を変更し、床面Ｆに左右に延びる箱体状の台座３００を設けることにより、展示部９の下端部を床面Ｆよりも上方の高さ位置に配置したものである。また、実施例２は、実施例１のパネル装置１の展示部９の構成を変更し、展示部９における上部パネル支持体２と台座３００との間で左右に複数のガラスパネル４，４，…が連設されることにより展示部９の左右方向の寸法を大きくしたものである。尚、前記実施例１に示される構成部分と同一構成部分に付いては同一符号を付して重複する説明を省略する。
【０１０９】
図１２に示されるように、実施例２におけるパネル装置１００は、天井Ｃに固定され左右に延びる上部パネル支持体２と、床面Ｆに固定され左右に延びる台座３００と、の間に前後方向に離間させた一対のガラスパネル４，４が左右方向に複数連設された二重ガラスパネル構造になっており、展示部９において、前後一対のガラスパネル４，４の対向面間に展示物９９が取付けられた吊支パネル１１が吊支されている。尚、実施例２におけるガラスパネル４は、パネル本体４ｂの下端面４ｅに実施例１の下部縁材７が設けられておらず、パネル本体４ｂの下端面４ｅがガラスパネル４の下端部として台座３００の上面３００ａに載置された状態となっている。
【０１１０】
また、左右に隣接するガラスパネル４，４の対向端部同士は、透明度の高い樹脂製のジョイント材４０（図１２参照）が充填されることにより上下方向の枠を使用しなくとも左右方向の連結が可能になっている。
【０１１１】
また、パネル装置１００には、展示部９内に配置される吊支パネル１１を展示部９の外部から上部パネル支持体２の上部支持部材２２に設けられるレール部２６に沿って左右方向に移動させるための図示しない移動手段が設けられている。尚、移動手段は、吊支パネル本体１１ａの上端部に取付けられる吊支装置１５，１５を展示部９の外部からレール部２６に沿って左右方向に移動させることができるものであれば、自由に構成されてよく、例えば、吊支装置１５のローラ部１６に外部から駆動を制御可能な電動モータが内蔵されていてもよい。
【０１１２】
これによれば、左右に複数連設され前後に対向するガラスパネル４，４間（展示部９）において、吊支装置１５，１５のローラ部１６，１６を移動手段により外部からレール部２６に沿って左右に移動させることができるため、吊支パネル１１に取付けられた展示物９９の位置合わせを容易に行うことができる。また、展示部９内に複数の吊支パネルを吊支することができる。
【０１１３】
尚、図１２に示されるように、吊支パネル１１は、展示部９の前後において左右に隣接するガラスパネル４，４のジョイント材４０，４０と、吊支パネル本体１１ａの左右側端が前後方向に重畳する位置に配置されることにより、展示部９内に配置される吊支パネル１１を視認し難くなり、展示部９に収容される展示物９９が空間上に配置されているような演出効果を高めることができる。
【０１１４】
以上、本発明の実施例を図面により説明してきたが、具体的な構成はこれら実施例に限られるものではなく、本発明の要旨を逸脱しない範囲における変更や追加があっても本発明に含まれる。
【０１１５】
例えば、前記実施例において、展示部９を構成する前後一対のガラスパネル４，４のパネル本体４ｂ，４ｂ及び吊支パネル１１の吊支パネル本体１１ａは、透光性を有するものとして説明したが、これに限らず、少なくとも展示部９の前面側に取付けられるパネル体のパネル本体が透光性を有していれば、後面側のパネル体と吊支パネルには透光性を有さない金属製パネルや木製パネル等が使用されてもよい。
【０１１６】
また、前記実施例では、予め上部パネル支持体２及び下部パネル支持体３に対して展示部９を構成する後方側のガラスパネル４を取付け、レール部２６内に配置された吊支装置１５の挟持板１９，１９に吊支パネル本体１１ａを取付けた状態において、最後に前方側のガラスパネル４を取付ける場合を例に挙げて説明したが、これに限らず、吊支パネル１１が取付けられた状態で展示部９を構成する前後のガラスパネル４，４を取付けるようにしてもよい。
【０１１７】
また、上部パネル支持体２は、天井Ｃに対して間接的に固定されていてもよく、一体に固定されていなくてもよい。
【０１１８】
また、パネル装置１，１００は、側壁Ｗから展示部９のみが延設されるものに限らず、上部パネル支持体２の延設部２ｂが展示スペースに配置されていてもよい。
【０１１９】
また、上部パネル支持体２の延設部２ｂは、上部パネル支持体２の本体部２ａから連続して延びるものに限らず、上部パネル支持体において、本体部と延設部が入れ子式に構成され、展示部９の開口部９ａから延設部を本体部の中に収納できるようにしてもよい。また、上部パネル支持体の本体部と延設部は、別体に構成され必要に応じて連結されるものであってもよい。
【０１２０】
また、上部パネル支持体２及び下部パネル支持体３に対するガラスパネル４の取付け構造については、前記実施例１，２の取付け構造に限らず、ガラスパネル４を安定して取付けられるものであれば自由に構成されてよい。
【０１２１】
また、パネル本体４ｂ及び吊支パネル本体１１ａとしては、透明なアクリル製の板材が使用されてもよい。
【０１２２】
また、前記実施例では、吊支パネル１１を構成する吊支パネル本体１１ａは、ガラスパネル４のパネル本体４ｂの上下方向及び左右方向の寸法と略同寸のものとして説明したが、これに限らず、吊支パネル本体の上下方向及び左右方向の寸法は自由に構成されてよい。
【０１２３】
吊支パネル１１を移動させる移動手段としては、吊支装置１５のローラ部１６に外部から駆動を制御可能な電動モータが内蔵されるものに限らず、無端状のワイヤや磁石の吸着力等を利用して外部から吊支装置を手動で移動させるものであってもよい。
【０１２４】
また、吊支パネル１１の展示部９の開口部９ａ側の側端部に開口部カバー１０ｃを一体に取付けることにより、吊支パネル１１を展示部９内に配置すると同時に開口部９ａを閉塞できるようにしてもよい。
【０１２５】
また、パネル装置１，１００をエアタイト式の展示ケースとして使用する場合には、下部パネル支持体３において凹溝９０の下方空間は外部から見えなくなっているため、凹溝９０の底部を構成する案内部材３１の底板３１ａに調湿トレイ及び調湿材等を設置してもよい。また、凹溝９０の一部に吸排気用のパンチングを設けてもよい。
【０１２６】
また、前記実施例では、上部支持部材２２にレール部２６が一体成形されるものとして説明したが、これに限らず、上部支持部材に別体のレール部材を一体に取付けられるものであってもよい。
【０１２７】
また、上部支持部材２２に取付けられ前後方向に対向するレールカバー２８，２８の内面側には、吊支パネル１１に取付けられる展示物９９を上方から照らすための照明装置等が設置されてもよい。
【０１２８】
また、展示物９９は、吊支パネル１１に取付け可能なものであれば、自由に選択されてよく、絵画や写真等の展示品に限らない。さらに、１枚の吊支パネル１１に複数の展示物が取付けられてもよい。
【０１２９】
また、吊支される物品として、映像を投影するためのスクリーンや遮光板等であってもよい。
【符号の説明】
【０１３０】
１                パネル装置
２                上部パネル支持体
３                下部パネル支持体
４                ガラスパネル（パネル体）
４ｂ              パネル本体
６                上部縁材
７                下部縁材
８                当接部
９                展示部
９ａ              開口部（開口端部）
１１              吊支パネル（板状部材）
１５              吊支装置（物品吊支部）
１６              ローラ部（走行体）
２０              笠木
２２              上部支持部材
２５              前方支持部
２５’            後方支持部
２６              レール部（レール）
２７              上部挿入溝
２７ａ            開口部
２８              レールカバー
３０              巾木
３１              案内部材
３２，３２’      下部支持部材
３３              開口部
３４              アジャスタ機構
３８              支持部
３８ｃ            被係合部
６１              挿入板
８３              戸当部材
９０              凹溝
９１              パネルガイド
９９              展示物（物品）
１００            パネル装置
３００            台座
Ｃ                天井
Ｆ                床
Ｗ                側壁
【図１】
2018071324.tif 000003
【図２】
2018071324.tif 000004
【図３】
2018071324.tif 000005
【図４】
2018071324.tif 000006
【図５】
2018071324.tif 000007
【図６】
2018071324.tif 000008
【図７】
2018071324.tif 000009
【図８】
2018071324.tif 000010
【図９】
2018071324.tif 000011
【図１０】
2018071324.tif 000012
【図１１】
2018071324.tif 000013
【図１２】
2018071324.tif 000014